(57)【要約】【課題】共振を分散させることができ、音圧周波数特性、および音質の向上を図かることができるリング型スピーカ装置を得ることを目的とする。【解決手段】中央部に開口穴が形成されボイスコイル４に沿って環状を成すリング型振動板１６を有するリング型スピーカ装置５２において、リング型振動板１６は、ボイスコイル４の中心から偏心している。リング型振動板１６は、概略ドーム状を成し中央部に前記開口穴が形成され外周部がボイスコイル４に接続された内径側ドーム状部１６ａを有しており、内径側ドーム状部１６ａが、ボイスコイル４の中心から偏心している。【選択図】        図２
2006333064.tif 000002
【特許請求の範囲】
【請求項１】
中央部に開口穴が形成されボイスコイルに沿って環状を成すリング型振動板を有するリング型スピーカ装置において、
前記リング型振動板は、前記ボイスコイルの中心から偏心していることを特徴とするリング型スピーカ装置。
【請求項２】
前記リング型振動板は、
概略ドーム状を成し中央部に前記開口穴が形成され外周部が前記ボイスコイルに接続された内径側ドーム状部を少なくとも有し、
前記内径側ドーム状部が、前記ボイスコイルの中心から偏心していることを特徴とする請求項１に記載のリング型スピーカ装置。
【請求項３】
前記リング型振動板は、
概略ドーム状を成し中央部に前記開口穴が形成され外周部が前記ボイスコイルに接続された内径側ドーム状部と、
前記内径側ドーム状部のボイスコイル接続部に小径部が接続され径方向に広がるような概略ラッパ状を成す外径側ラッパ状部とを有していることを特徴とする請求項１に記載のリング型スピーカ装置。
【請求項４】
前記内径側ドーム状部が、前記ボイスコイルの中心から偏心していることを特徴とする請求項３に記載のリング型スピーカ装置。
【請求項５】
前記外径側ラッパ状部が、前記ボイスコイルの中心から偏心していることを特徴とする請求項３に記載のリング型スピーカ装置。
【請求項６】
前記内径側ドーム状部と前記外径側ラッパ状部の両方が、前記ボイスコイルの中心から偏心していることを特徴とする請求項３に記載のリング型スピーカ装置。
【請求項７】
前記内径側ドーム状部の偏心方向と前記外径側ラッパ状部の偏心方向とが、同じ方向であることを特徴とする請求項６に記載のリング型スピーカ装置。
【請求項８】
前記内径側ドーム状部の偏心方向と前記外径側ラッパ状部の偏心方向とが、異なる方向であることを特徴とする請求項６記載のリング型スピーカ装置。
【請求項９】
前記内径側ドーム状部の外周縁部が円形であることを特徴とする請求項２から８のいずれか１項に記載のリング型スピーカ装置。
【請求項１０】
前記内径側ドーム状部の外周縁部が楕円形であることを特徴とする請求項２から８のいずれか１項に記載のリング型スピーカ装置。
【請求項１１】
前記外径側ラッパ状部の外周縁部が円形であることを特徴とする請求項３から１０のいずれか１項に記載のリング型スピーカ装置。
【請求項１２】
前記外径側ラッパ状部の外周縁部が楕円形であることを特徴とする請求項３から１０のいずれか１項に記載のリング型スピーカ装置。
【請求項１３】
前記内径側ドーム状部と前記外径側ラッパ状部とが、同じ材料で一体に成形されていることを特徴とする請求項２から１２のいずれか１項に記載のリング型スピーカ装置。
【請求項１４】
前記リング型振動板の前記中央部に形成された開口穴から突出するようにイコライザが設けられていることを特徴とする請求項１から１３のいずれか１項に記載のリング型スピーカ装置。
【請求項１５】
前記イコライザの外周面は、前記内径側ドーム状部の周波数特性に合わせた２次曲面とされていることを特徴とする請求項１４に記載のリング型スピーカ装置。
【発明の詳細な説明】
【技術分野】
【０００１】
この発明は、ボイスコイルに沿って環状を成すリング型振動板を有するスピーカ装置に関するものである。
【背景技術】
【０００２】
従来、沿って環状を成すリング型振動板を有するリング型スピーカ装置が提案されている。このリング型振動板は、中央部に開口穴が形成されボイスコイルに沿って環状を成しており、高音域の周波数特性に優れ、また指向性が鋭いという特徴を持っている。このような特徴を持つリング型振動板を装備したリング型スピーカ装置においては、一般に高音域再生用のスピーカ装置として用いられ、特に高音域の周波数特性を平坦化するイコライザと組み合わせて、高音域専用スピーカ装置である所謂トゥーイータとして用いられることが多い（例えば、特許文献１参照）。
【０００３】
図１は上記文献に記載のスピーカ装置に類似の従来のリング型スピーカ装置の横断面図である。なお、リング型スピーカ装置５１の音響の放射する方向を前方（前面）として説明する。図１において、リング型スピーカ装置５１は、リング型振動板６、ボイスコイル４およびイコライザ８からなる振動系と、ツボヨーク１、マグネット２およびトッププレート３からなる磁気回路系とを有している。
【０００４】
リング型振動板６は、円筒状を成すボイスコイル４に対して、内径側に設けられた内径側ドーム状部６ａと外径側に設けられた外径側ラッパ状部６ｂから構成されている。内径側ドーム状部６ａは、前方に凸となるような概略ドーム状を成し、中央部に開口穴が形成されており、概略断面円弧状に湾曲して、他方の外周部はボイスコイル４に接続されている。一方、外径側ラッパ状部６ｂは、内径側ドーム状部６ａのボイスコイル４との接続部に小径部が接続されて、この接続部から前方に凸となるように概略断面円弧状に湾曲しながら径方向に広がる概略ラッパ状を成している。
【０００５】
ボイスコイル４は、円筒状のボイスコイルボビン４ａとこのボイスコイルボビン４ａの外周部に巻装された巻線４ｂとから構成されている。そして、ボイスコイルボビン４ａの前方側の端部が振動板６に接続されている。
【０００６】
ボイスコイル４は、概略椀状を成すツボヨーク１内に収納されている。ツボヨーク１は、円筒状のアウターヨーク１ａと、アウターヨーク１ａの後方側開口部を塞ぐようにアウターヨーク１ａに対して一体に設けられたボトムヨーク１ｂとから構成されている。ツボヨーク１内のボトムヨーク１ｂ上に、円板状のマグネット（永久磁石）２が、ツボヨーク１に対して同軸に配設されている。そしてさらに、このマグネット２に重ねられて、円板状のトッププレート３が、マグネット２に対して同軸に配設されている。トッププレート３の外径は、マグネット２の外径よりも大きくされている。
【０００７】
ツボヨーク１、マグネット２およびトッププレート３は、磁気回路を構成し、アウターヨーク１ａの内周面とトッププレート３の外周面との間の空間に一様な磁界を発生させて磁気ギャップｇを形成している。ボイスコイル４は、この磁気ギャップｇ内に配設されている。
【０００８】
トッププレート３上に円柱状のスペーサ７が同軸状に配設されている。そして、このスペーサ７に重ねられて砲弾型のイコライザ８が固定されている。上述したリング型振動板６の内径側ドーム状部６ａの内周縁部は、イコライザ８の外周面に接続されている。一方、リング型振動板６の外径側ラッパ状部６ｂの外周縁部は、ツボヨーク１の開口縁部外周面に全周にわたって取り付けられている支持プレート５に接続されている。
【０００９】
以上のように構成されたリング型スピーカ装置５１では、一様な磁界中に存在する巻線４ｂに音声電流が流れると電磁作用の原理により、ボイスコイル４がスピーカ装置の軸方向に前後するように振動する。そして、かかる振動がリング型振動板６およびイコライザ８へと伝達され、両者から前方に音響が放射される。
【００１０】
【特許文献１】特開平９−３１２８９７号公報
【発明の開示】
【発明が解決しようとする課題】
【００１１】
しかしながら、上記のようなリング型振動板を有する従来のリング型スピーカ装置においては、リング型振動板が中心軸に対していずれの方向にも対称形状を成しているので特定の周波数で共振が発生する。そしてこの共振は、再生される音質に悪影響を及ぼす場合があるので、改善が求められていた。
【００１２】
この発明は上述の課題に鑑みてなされたものであり、共振を分散させることができ、音圧周波数特性、および音質の向上を図ることができるリング型スピーカ装置を得ることを目的とする。
【課題を解決するための手段】
【００１３】
上述した目的を達成するために、この発明にかかるスピーカ装置は、リング型振動板を有するリング型スピーカ装置において、リング型振動板の中心軸が、ボイスコイルの中心軸と一致してない。つまり、リング型振動板はボイスコイルの中心軸から偏心している。
【００１４】
ここで、ボイスコイルの中心に対して偏心しているリング型振動板とは、概略環状を成し、その中心がボイスコイルの中心から偏心している振動板のことであり、外周縁部が円形のものも楕円形のものも含むものである。
【発明を実施するための最良の形態】
【００１５】
以下に、本発明にかかるリング型スピーカ装置の実施の形態を詳細に説明する。なお、この実施の形態によりこの発明が限定されるものではない。以下では、本発明のリング型スピーカ装置の概略と特徴を実施の形態として説明し、その後にリング型スピーカ装置に関する実施例を説明する。
【００１６】
［実施の形態］
本実施の形態のリング型スピーカ装置は、リング型振動板を有している。リング型振動板は、中央部に開口穴が形成されボイスコイルに沿って環状を成している。そして、リング型振動板は、内径側ドーム状部と外径側ラッパ状部とを有している。内径側ドーム状部は、概略ドーム状を成し中央部に開口穴が形成され外周部がボイスコイルに接続されている。外径側ラッパ状部は、内径側ドーム状部のボイスコイル接続部に小径部が接続され径方向に広がるような概略ラッパ状を成している。
【００１７】
そして、内径側ドーム状部と外径側ラッパ状部の両方が、ボイスコイルの中心から偏心している。この構成により、特定の周波数において発生する共振を分散させることができ、音圧周波数特性、および音質の向上を図ることができる。
【００１８】
なお、リング型振動板に関しては、本実施の形態のように内径側ドーム状部と外径側ラッパ状部の両方を有するものでなくとも、少なくとも内径側ドーム状部を有していて、この内径側ドーム状部が、ボイスコイルの中心から偏心していれば、所定の効果を得ることができる。また、本実施の形態のように内径側ドーム状部と外径側ラッパ状部とを有するものであれば、少なくともいずれか一方が、ボイスコイルの中心から偏心していれば、所定の効果を得ることができる。
【００１９】
また、本実施の形態のリング型スピーカ装置においては、内径側ドーム状部の偏心方向と外径側ラッパ状部の偏心方向とが、同じ方向とされている。そのため、スピーカ装置の指向性を偏心している方向に大きく傾かせることができる。
【００２０】
なお、内径側ドーム状部の偏心方向と外径側ラッパ状部の偏心方向とを意図的に異なる方向に向かせてもよい。このような構成とすることにより、指向方向を任意の方向とすることができ、また、偏心方向を互いに逆向きとして指向性の傾きを打ち消し合うようにすることもできる。
【００２１】
また、本実施の形態のリング型スピーカ装置においては、内径側ドーム状部の外周縁部が円形であり、外径側ラッパ状部の外周縁部も円形である。そのため、リング型振動板の作製が容易であるとともに、ボイスコイルとの接続も容易となり、コストダウンを図ることができる。しかしながら、内径側ドーム状部の外周縁部も外径側ラッパ状部の外周縁部も円形に限るものではない。特に、内径側ドーム状部の外周縁部が円形とされていても、外径側ラッパ状部の外周縁部を例えば楕円としてもよい。このような構成とすることにより、所定の周波数にて発生する共振をさらに分散させることができ、音圧周波数特性、および音質のさらなる向上を図ることができる。
【００２２】
さらに、本実施の形態のリング型スピーカ装置においては、内径側ドーム状部と外径側ラッパ状部とが、同じ材料で一体に成形されている。そのため、再生される音響の音色を統一することができるので、臨場感をより向上させることができる。
【００２３】
さらに、本実施の形態のリング型スピーカ装置においては、リング型振動板の中央部に形成された開口穴から突出するようにイコライザが設けられており、イコライザの外周面は、内径側ドーム状部の周波数特性に合わせた２次曲面とされている。イコライザが設けられていることにより、スピーカ装置の広帯域化を図ることができる。さらに、その外周面が、２次曲面とされていることで、リング型振動板の発する音を所定の周波数帯域幅および指向特性に制御することが可能とされており、スピーカ装置の高音域再生時の周波数特性を平坦化することができる。
【００２４】
以下、図面を参照して本発明の好適な実施例について説明する。
（実施例１）
図２はこの発明に係るリング型スピーカ装置の実施例の横断面図である。なお、リング型スピーカ装置５２の音響の放射する方向を前方（前面）として説明する。図２において、リング型スピーカ装置５２は、リング型振動板１６、ボイスコイル４およびイコライザ８からなる振動系と、ツボヨーク１、マグネット２およびトッププレート３からなる磁気回路系とを有している。
【００２５】
リング型振動板１６は、円筒状を成すボイスコイル４に対して、内径側に設けられた内径側ドーム状部１６ａと外径側に設けられた外径側ラッパ状部１６ｂから構成されている。内径側ドーム状部１６ａは、前方に凸となるような概略ドーム状を成し、中央部に開口穴が形成されている。そして、開口穴を形成する内径周縁部から径方向外方にむかって概略断面円弧状に湾曲して延び、外周部はボイスコイル４に接続されている。一方、外径側ラッパ状部１６ｂは、内径側ドーム状部１６ａのボイスコイル４との接続部に小径部が接続されて、この接続部から前方に凸となるように概略断面円弧状に湾曲しながら径方向に広がる概略ラッパ状を成している。そして、本実施例においては、内径側ドーム状部１６ａの中心軸Ｏ（内径側ドーム状部１６ａの中央部に形成された開口穴の中心軸）がボイスコイル４の中心軸Ｐに対して距離Ｅだけ偏心している。外径側ラッパ状部１６ｂは内径側ドーム状部１６ａの外周部に、内径側ドーム状部１６ａに対して同軸に配置されている。内径側ドーム状部１６ａと外径側ラッパ状部１６ｂとは、同じ材料で一体に成形されて作製されている。
【００２６】
ボイスコイル４は、円筒状のボイスコイルボビン４ａとこのボイスコイルボビン４ａの外周部に巻装された巻線４ｂとから構成されている。そして、ボイスコイルボビン４ａの前方側の端部が振動板１６に接続されている。
【００２７】
ボイスコイル４は、概略椀状を成すツボヨーク１内に収納されるように配設されている。ツボヨーク１は、円筒状のアウターヨーク１ａと、アウターヨーク１ａの後方側開口部を塞ぐようにアウターヨーク１ａに対して一体に設けられたボトムヨーク１ｂとから構成されている。ツボヨーク１内のボトムヨーク１ｂ上に、円板状のマグネット（永久磁石）２が、ツボヨーク１に対して同軸となるように配設されている。そしてさらに、このマグネット２に重ねられて、円板状のトッププレート３が、マグネット２に対して同軸となるように配設されている。トッププレート３の外径は、マグネット２の外径よりも大きくされている。
【００２８】
ツボヨーク１、マグネット２およびトッププレート３は、磁気回路を構成し、アウターヨーク１ａの内周面とトッププレート３の外周面との間の空間に一様な磁界を発生させて磁気ギャップｇを形成している。ボイスコイル４は、この磁気ギャップｇ内に配設されている。ボイスコイル４の外周部は、アウターヨーク１ａの内周面と一定の間隔を介して対向している。一方、ボイスコイル４の内周部は、トッププレート３の外周面と一定の間隔を介して対向している。
【００２９】
トッププレート３上に円柱状のスペーサ７が同軸状に配設されている。そして、このスペーサ７に重ねられて砲弾型のイコライザ８が固定されている。イコライザ８は、リング型振動板１６の内径側ドーム状部１６ａの中央部に形成された開口穴から前方に突出するように設けられている。イコライザ８は、高音域再生時の周波数特性を平坦化するためのもので、その外周面はリング型振動板１６（内径側ドーム状部１６ａ）の周波数特性に合わせた２次曲面となっており、リング型振動板１６の発する音を所定の周波数帯域幅および指向特性に制御するようになっている。
【００３０】
なお、上述したリング型振動板１６の内径側ドーム状部１６ａの内周縁部は、イコライザ８の外周面に接続されて支持されている。一方、リング型振動板１６の外径側ラッパ状部１６ｂの外周縁部は、ツボヨーク１開口縁部外周面に全周にわたって取り付けられている支持プレート５に接続されて支持されている。
【００３１】
このように構成されたリング型スピーカ装置５２では、一様な磁界中にあるボイスコイル４の巻線４ｂに音声電流が流れると電磁作用の原理により、ボイスコイル４がスピーカ装置の軸方向に前後するように振動する。そして、かかる振動がリング型振動板１６およびイコライザ８へと伝達され、両者から音響が放射される。
【００３２】
そして、本実施例のリング型スピーカ装置５２においては、内径側ドーム状部１６ａが、ボイスコイル４の中心から偏心している。この構成により、所定の周波数で発生する共振を分散させることができ、音圧周波数特性、および音質の向上を図ることができる。
【００３３】
また、本実施例のリング型スピーカ装置５２においては、内径側ドーム状部１６ａの外周縁部が円形であり、外径側ラッパ状部１６ｂの外周縁部も円形である。そのため、リング型振動板１６の作製が容易であるとともに、ボイスコイル４との接続も容易となり、コストダウンを図ることができる。
【００３４】
さらに、本実施例のリング型スピーカ装置５２においては、内径側ドーム状部１６ａと外径側ラッパ状部１６ｂとが、同じ材料で一体に成形されている。そのため、再生される音響の音色を統一することができ、臨場感をより向上させることができる。
【００３５】
さらにまた、本実施例のリング型スピーカ装置５２においては、リング型振動板１６の中央部に形成された開口穴から突出するようにイコライザ８が設けられており、イコライザ８の外周面は、内径側ドーム状部１６ａの周波数特性に合わせた２次曲面とされている。このようにイコライザ８が設けられていることにより、広帯域化が図られるとともに、その外周面が、２次曲面とされていることで、リング型振動板１６の発する音を所定の周波数帯域幅および指向特性に制御することが可能とされており、高音域再生時の周波数特性を平坦化することができる。
【００３６】
（実施例２）
図３はこの発明に係るリング型スピーカ装置の他の実施例を示す横断面図である。図３において、本実施例のリング型スピーカ装置５３においては、内径側ドーム状部１７ａの中心軸はボイスコイル４の中心軸と一致している。一方、外径側ラッパ状部１７ｂの中心軸は、内径側ドーム状部１７ａの中心軸Ｏから所定の距離だけ偏心している。つまり、外径側ラッパ状部１７ｂは、内径側ドーム状部１７ａの外周部外方に形成されているが、その半径方向の幅が全周にわたって一定ではなく、偏心している側で広く反対側で狭い。その他の構成は実施例１と同様である。
【００３７】
このように本実施例のリング型スピーカ装置５３においては、内径側ドーム状部１７ａが、内径側ドーム状部１７ａの中心軸Ｏから所定の距離だけ偏心している。したがって、ボイスコイル４の中心からも偏心している。この構成により、所定の周波数で発生する共振を分散させることができ、音圧周波数特性、および音質の向上を図ることができる。
【００３８】
（実施例３）
図４はこの発明に係るリング型スピーカ装置のさらに他の実施例を示す横断面図である。図４において、本実施例のリング型スピーカ装置５４においては、内径側ドーム状部１８ａの中心軸Ｏ（内径側ドーム状部１８ａの中央部に形成された開口穴の中心軸）がボイスコイル４の中心軸Ｐに対して距離Ｅだけ偏心している。一方、外径側ラッパ状部１８ｂの中心軸は、内径側ドーム状部１８ａの中心軸Ｏから所定の距離だけ偏心している。外径側ラッパ状部１８ｂは、内径側ドーム状部１８ａの外周部外方に形成されているが、その半径方向の幅は、全周にわたって一定ではない。その他の構成は実施例１と同様である。
【００３９】
このような構成のリング型スピーカ装置５４においては、内径側ドーム状部１８ａが、ボイスコイル４の中心軸Ｐに対して偏心しており、さらに、外径側ラッパ状部１７ｂの中心軸は、内径側ドーム状部１７ａの中心軸Ｏから所定の距離だけ偏心している。したがって、外径側ラッパ状部１７ｂの中心軸はボイスコイル４の中心軸Ｐからも偏心している。この構成により、共振をさらに分散させることができ、音圧周波数特性、および音質のさらなる向上を図ることができる。
【００４０】
また、本実施の形態のリング型スピーカ装置５４においては、内径側ドーム状部１８ａの偏心方向と外径側ラッパ状部１８ｂの偏心方向とが、同じ方向とされている。そのため、スピーカ装置５４の指向性を偏心している方向に大きく傾かせることができる。
【００４１】
なお、内径側ドーム状部１８ａの偏心方向と外径側ラッパ状部１８ｂの偏心方向とを意図的に異なる方向に向かせて指向方向を任意の方向としてもよい、また、偏心方向を互いに逆向きとして指向性の傾きを打ち消し合うようにしてもよい。
【００４２】
（実施例４）
図５はこの発明に係るリング型スピーカ装置の車載用の実施例を示す横断面図である。車載用リング型スピーカ装置５５の音響の放射する方向を前方（前面）として説明する。図５において、車載用リング型スピーカ装置５５は、概略キャップ状を成すケーシング４０と、このケーシング４０内に放音方向を開口部側に向けて収納されたスピーカ本体部３０と、スピーカ本体部３０の前面を防護するようにケーシング４０の開口部に設けられた前面カバー４１とを有している。このように構成された車載用リング型スピーカ装置５５は、車内の例えばダッシュボード６０に取り付けられた台座４２に、固定ねじ４３で固定される。スピーカ本体部３０は、内部フレーム１４の外周部を取付ねじ４４にて締着されてケーシング４０内に固定されている。前面カバー４１は、中央部に大径穴を有しており、この大径穴からスピーカ本体部３０の前面を外部に露呈させるとともに、外周部から中央部に向かって逆放射状に延びる概略角状の複数の防護突起４５で後述する振動板１９を防護している。
【００４３】
スピーカ本体部３０は、リング型振動板１９、ボイスコイル４およびイコライザ８からなる振動系と、ツボヨーク１、マグネット２およびトッププレート３からなる磁気回路系とを有している。
【００４４】
リング型振動板１９は、円筒状を成すボイスコイル４に対して、内径側に設けられた内径側ドーム状部１９ａと外径側に設けられた外径側ラッパ状部１９ｂから構成されている。内径側ドーム状部１９ａは、前方に凸となるような概略ドーム状を成し、中央部に開口穴が形成されている。そして、開口穴を形成する内径周縁部から径方向外方にむかって概略断面円弧状に湾曲して延び、外周部はボイスコイル４に接続されている。外径側ラッパ状部１９ｂは、内径側ドーム状部１９ａのボイスコイル４との接続部に小径部が接続されて、この接続部から前方に凸となるように概略断面円弧状に湾曲しながら径方向に広がる概略ラッパ状を成している。そして、本実施例においては、内径側ドーム状部１９ａの中心軸Ｏ（内径側ドーム状部１９ａの中央部に形成された開口穴の中心軸）がボイスコイル４の中心軸Ｐに対して距離Ｅだけ偏心している。外径側ラッパ状部１９ｂは内径側ドーム状部１９ａの外周部に、内径側ドーム状部１９ａに対して同軸に配置されている。内径側ドーム状部１９ａと外径側ラッパ状部１９ｂとは、同じ材料で一体に成形されて作製されている。
【００４５】
ボイスコイル４は、円筒状のボイスコイルボビン４ａとこのボイスコイルボビン４ａの外周部に巻装された巻線４ｂとから構成されている。そして、ボイスコイルボビン４ａの前方側の端部が振動板１９に接続されている。
【００４６】
ボイスコイル４は、概略椀状を成すツボヨーク１内に収納されるように配設されている。ツボヨーク１は、円筒状のアウターヨーク１ａと、アウターヨーク１ａの後方側開口部を塞ぐようにアウターヨーク１ａに対して一体に設けられたボトムヨーク１ｂとから構成されている。このように構成されたスピーカ本体部３０は、ツボヨーク１のボトムヨーク１ｂの裏面を固定ねじ２１で内部フレーム１４に固定されている。ツボヨーク１内中央部に、締着ねじ１１が、軸線に沿って雄ねじ部を前方に向けて立設されている。円板状のマグネット（永久磁石）２が、中央部に設けられた穴に締着ねじ１１を貫通させてツボヨーク１に対して同軸となるように配設されている。そして同じく円板状のトッププレート３が、中央部に設けられた穴に締着ねじ１１を貫通させて、このマグネット２に重ねられて同軸となるように配設されている。アウターヨーク１ａの開口側端部は、全周にわたって内側に丸められるように湾曲し開口側端面がトッププレート３の外周面に向くようにされている。
【００４７】
ツボヨーク１、マグネット２およびトッププレート３は、磁気回路を構成している。この磁気回路は、アウターヨーク１ａの湾曲してトッププレート方向に向いた端面と、トッププレート３の外周面との間の空間に一様な磁界を発生させて磁気ギャップｇを形成している。ボイスコイル４は、この磁気ギャップｇ内に配設されている。
【００４８】
トッププレート３の中央穴に係合してスペーサ７が配設されている。スペーサ７は、裏面に雌ねじ穴が螺刻されており、この雌ねじ穴に締着ねじ１１の先端雄ねじ部が螺合している。ツボヨーク１、マグネット２およびトッププレート３は、締着ねじ１１の頭部とスペーサ７との間で締め付けられて相互に固定されている。そして、このスペーサ７に重ねられて砲弾型のイコライザ８が固着されている。イコライザ８は、リング型振動板１９の内径側ドーム状部１９ａの中央部に形成された開口穴から前方に突出するように設けられている。イコライザ８は、高音域再生時の周波数特性を平坦化するためのもので、その外周面はリング型振動板１９（内径側ドーム状部１９ａ）の周波数特性に合わせた２次曲面となっており、リング型振動板１９の発する音を所定の周波数帯域幅および指向特性に制御するようになっている。
【００４９】
先に述べたリング型振動板１９の内径側ドーム状部１９ａの内周縁部は、イコライザ８の外周面に接続されて支持されている。一方、リング型振動板１９の外径側ラッパ状部１９ｂの外周縁部は、内部フレーム１４に接続されて支持されている。
【００５０】
このように構成された車載用リング型スピーカ装置５５では、一様な磁界中にあるボイスコイル４の巻線４ｂに音声電流が流れると電磁作用の原理により、ボイスコイル４がスピーカ装置の軸方向に前後するように振動する。そして、かかる振動がリング型振動板１９およびイコライザ８へと伝達され、両者から音響が放射される。
【００５１】
そして、本実施例の車載用リング型スピーカ装置５５においては、内径側ドーム状部１９ａが、ボイスコイル４の中心から偏心している。この構成により、共振を分散させることができ、音圧周波数特性、および音質の向上を図ることができる。
【００５２】
また、本実施例の車載用リング型スピーカ装置５５においては、内径側ドーム状部１９ａの外周縁部が円形であり、外径側ラッパ状部１９ｂの外周縁部も円形である。そのため、リング型振動板１９の作製が容易であるとともに、ボイスコイル４との接続も容易となり、コストダウンを図ることができる。
【００５３】
さらに、本実施例の車載用リング型スピーカ装置５５においては、内径側ドーム状部１９ａと外径側ラッパ状部１９ｂとが、同じ材料で一体に成形されている。そのため、再生される音響の音色を統一することができ、臨場感をより向上させることができる。
【００５４】
さらにまた、本実施例の車載用リング型スピーカ装置５５においては、リング型振動板１９の中央部に形成された開口穴から突出するようにイコライザ８が設けられており、イコライザ８の外周面は、内径側ドーム状部１９ａの周波数特性に合わせた２次曲面とされている。イコライザ８が設けられていることにより、広帯域化を図ることができるとともに、その外周面が、２次曲面とされていることで、リング型振動板１９の発する音を所定の周波数帯域幅および指向特性に制御することが可能とされており、高音域再生時の周波数特性を平坦化することができる。
【産業上の利用可能性】
【００５５】
この発明は、高音域再生用のスピーカ装置に適用されて好適なものであり、特に高音域の周波数特性を平坦化するイコライザと組み合わせて、高音域専用スピーカ装置である所謂トゥーイータとして用いられて好適なものであり、さらには車輌の客室内に設置される車載用スピーカ装置に適用されて好適なものである。
【図面の簡単な説明】
【００５６】
【図１】従来のリング型スピーカ装置の横断面図である。
【図２】この発明に係るリング型スピーカ装置の実施例の横断面図である。
【図３】この発明に係るリング型スピーカ装置の他の実施例を示す横断面図である。
【図４】この発明に係るリング型スピーカ装置のさらに他の実施例を示す横断面図である。
【図５】この発明に係るリング型スピーカ装置の車載用の実施例を示す横断面図である。
【符号の説明】
【００５７】
１  ツボヨーク
１ａ  アウターヨーク
１ｂ  ボトムヨーク
２  マグネット
３  トッププレート
４  ボイスコイル
４ａ  ボイスコイルボビン
４ｂ  巻線
５  支持プレート
６  リング型振動板
６ａ  内径側ドーム状部
７  スペーサ
８  イコライザ
１４  内部フレーム
１６、１７、１８、１９  リング型振動板
１６ａ、１７ａ、１８ａ、１９ａ  内径側ドーム状部
１６ｂ、１７ｂ、１８ｂ、１９ｂ  外径側ラッパ状部
３０  スピーカ本体部
４０  ケーシング
４１  前面カバー
４２  台座
４５  防護突起
５１、５２、５３、５４  リング型スピーカ装置
５５  車載用リング型スピーカ装置
Ｅ  偏心量（距離）
ｇ  磁気ギャップ
Ｏ  振動板の中心軸
Ｐ  ボイスコイルの中心軸
【図１】
2006333064.tif 000003
【図２】
2006333064.tif 000004
【図３】
2006333064.tif 000005
【図４】
2006333064.tif 000006
【図５】
2006333064.tif 000007